(57)【要約】  【課題】  給電部及び受電部の構造を改良することによって、給電効率を向上させ得るコンパクトな形態の非接触給電装置を提供し、また、その非接触給電装置を自動ドア装置に適用することにより、取り付け納まり性を良好にしてドア側の負荷回路へ効率よく電力を供給できる自動ドア装置を提供すること。  【解決手段】  長尺鉄心３の外周にコイルボビン２を介し１次コイル４を巻装して給電部１を形成し、短筒ボビン１１の外周に２次コイル１２を巻装して受電部１０を形成し、その長尺状の給電部１の外周に間隙をおいて短筒状の受電部１０を貫通可動状に配置させ、給電部１に通電することによって電磁誘導作用により受電部１０の２次コイル１２に起電力を発生させて電力を供給するように構成する。また、前記長尺状の給電部を無目５０内の固定壁面に固定するとともにドア５４の上部に前記短筒状の受電部１０を取り付け支持することにより非接触給電装置を装備した自動ドア装置を構成する。  【選択図】    図１
2006303221.tif 000002
【特許請求の範囲】
【請求項１】
長尺鉄心の外周にコイルボビンを介し１次コイルを巻装して給電部を形成し、短筒ボビンの外周に２次コイルを巻装して受電部を形成し、その長尺状の給電部の外周に間隙をおいて短筒状の受電部を貫通可動状に配置させ、給電部に通電することによって電磁誘導作用により受電部の２次コイルに起電圧を発生させて電力を供給するようにした非接触給電装置。
【請求項２】
上記給電部は、コイルボビンが円筒形であり、長尺鉄心が前記コイルボビン内に密集状に配置された多数の針金状コアの集合であることを特徴とする請求項１記載の非接触給電装置。
【請求項３】
受電部の短筒ボビンを円筒形としたことを特徴とする請求項２記載の非接触給電装置。
【請求項４】
上記給電部は、コイルボビンが角筒形であり、長尺鉄心が前記コイルボビン内に密集状に配置された多数の針金状コアの集合であることを特徴とする請求項１記載の非接触給電装置。
【請求項５】
上記給電部は、コイルボビンが角筒形であり、長尺鉄心が前記コイルボビン内に密接状に配置された多数の帯板状コアの集合であることを特徴とする請求項１記載の非接触給電装置。
【請求項６】
上記受電部の短筒ボビンを角筒形としたことを特徴とする請求項４又は５記載の非接触給電装置。
【請求項７】
上記給電部には、長尺鉄心の両側端面に接触するとともに受電部の可動範囲を避けて配置された補助鉄心が接続されていることを特徴とする請求項１〜６のいずれか１項記載の非接触給電装置。
【請求項８】
上記受電部には、２次コイルの外周に渦巻状の２次コアを巻装するとともに２次コアの層間に絶縁材を介在させたことを特徴とする請求項１又は３又は６記載の非接触給電装置。
【請求項９】
請求項１〜８のいずれか１項記載の非接触給電装置を用い、その給電部を自動ドア設置箇所の無目側にドアの開閉方向に沿って取り付け固定し、受電部をドア側上端部に支持部材を介して取り付け、それにより、給電部から受電部に供給される電力をドア側に装備した負荷回路に供給するようにした自動ドア装置。
【発明の詳細な説明】
【技術分野】
【０００１】
本発明は、給電部（１次側）と受電部（２次側）との間の電磁誘導作用により給電部から受電部へ非接触で電力を供給する非接触給電装置、さらに詳しくは、固定側に配設された給電部から移動体に配置された受電部へ電力を供給する非接触給電装置に関する。
【背景技術】
【０００２】
従来、この種の非接触給電装置は、特開平８−１７５２３２号公報（特許文献１）に例示されるように、移動体の移動経路に沿って平行な２本の給電線を配設し、移動体にはＥ型コアの中央突出部に２次コイルを巻装して受電部を構成するとともにＥ型コアの２つの脚間溝に前記給電線をそれぞれ挿入し、その給電線に電流を流すことによって受電部の２次コイルに電力を供給するようにしている。
また、移動体がドアである自動ドア装置においても、特開２００３−１５５８６８号公報（特許文献２）に例示されるように非接触給電装置を使用することが知られているが、その構成は、Ｅ型コアの中央脚に１次コイルを巻装して固定側の給電部とし、Ｅ型コアの各脚に長尺鉄心を結合するとともに中央脚に２次コイルを巻装してドア側の受電部とし、その給電部と受電部とを所定の空間を隔てた対向状に配設して、１次コイルに交番電流を流して電磁誘導作用により２次コイルへ電力が供給されるようにしている。
【０００３】
【特許文献１】特開平８−１７５２３２号公報
【特許文献２】特開２００３−１５５８６８号公報
【発明の開示】
【発明が解決しようとする課題】
【０００４】
上記のように従来の非接触給電装置は、１次コイルとなる給電線をＥ型コアの脚間溝に挿入して、１次コイルと２次コイルとを部分的な対面構造とし（特許文献１）、又はコイルを巻装した２つのＥ型コアを所定の空間を隔てた対面構造としている（特許文献２）。
しかるに、特許文献１にあっては上記Ｅ型コアの脚間溝には開口部が形成され、特許文献２にあっては２つのＥ型コア間に大きな空間が形成されているので、１次側の洩れ磁束が多くなってしまい一定の電力を２次側に供給する場合に大きな電流を必要とし、すなわち給電効率が低くなる不具合がみられた。
また、移動体（ドア）側の受電部にＥ型コアを使用しているため構造が大型化し、特に特許文献２によれば、ドア側にＥ型コア及び三段の長尺鉄心を使用する構造であるために、自動ドアとしての納まり性が悪いばかりでなくドア重量の増加をきたす不具合がある。
【０００５】
本発明は、上記従来不具合を解消すべく給電部及び受電部の構造を改良することによって、給電効率を向上させ得るコンパクトな形態の非接触給電装置を提供することを目的とする。
また、本発明は、上記の非接触給電装置を自動ドア装置に適用することにより、取り付け納まり性を良好にしてドア側の負荷回路へ効率よく電力を供給できる自動ドア装置を提供するものである。
【課題を解決するための手段】
【０００６】
斯る本発明の非接触給電装置は、長尺鉄心の外周にコイルボビンを介し１次コイルを巻装して給電部を形成し、短筒ボビンの外周に２次コイルを巻装して受電部を形成し、その長尺状の給電部の外周に間隙をおいて短筒状の受電部を貫通可動状に配置させ、給電部に通電することによって電磁誘導作用により受電部の２次コイルに起電圧を発生させて電力を供給するようにしたことを特徴とする（請求項１）。
この請求項１によれば、給電部の１次コイルに交流電源からの交番電流や高周波電流を通電すると長尺鉄心に磁束が生成され、その磁束変化を利用した電磁誘導作用により受電部の２次コイルに起電力の生起に伴い電流が発生するが、受電部の２次コイルが長尺鉄心の半径方向全周にわたり覆っているので、短筒ボビン内の長尺鉄心には略全部の磁束が集束して洩れ磁束を抑制することができる。そして、長尺鉄心はその全長にわたり磁路を形成しているので、短筒状の受電部が長尺状の給電部のいずれの位置にあるときでも電力が供給され続ける。
【０００７】
上記給電部及び受電部の具体的構造として、給電部のコイルボビン及び受電部の短筒ボビンの形状は円筒形、角筒形など何れでもよいが、好ましくは、給電部のコイルボビンを円筒形とし、長尺鉄心が前記コイルボビン内に密集状に配置された多数の針金状コアの集合とする（請求項２）。
この請求項２によれば、給電部の外形を必要最小にすることができるとともに針金状コアの集合体により長尺鉄心に生成される磁束数を増大させることができる。このコイルボビンの円筒形に対して、短筒ボビンを角筒形とすることも任意であるが、給電部の外周面と短筒ボビンの内周面との間の間隙を均等ならしめるために短筒ボビン自体も円筒形とすることが好ましい（請求項３）。
【０００８】
なお、給電部のコイルボビンは、円筒形に限らず角筒形とすること、すなわち、給電部のコイルボビンを角筒形とし、長尺鉄心が前記コイルボビン内に密集状に配置された多数の針金状コアの集合とし（請求項４）、または、給電部のコイルボビンが角筒形とし、長尺鉄心が前記コイルボビン内に密接状に配置された多数の帯板状コアの集合とする（請求項５）。
その場合に、角筒形のコイルボビンに対して受電部の短筒ボビンは、円筒形又は角筒形とすることのいずれの組み合わせでもよいが、請求項３と同様に、角筒形のコイルボビンに対して短筒ボビンを角筒形とすることが好ましい（請求項６）。
【０００９】
そして、給電部の改良形態として、上記給電部には、長尺鉄心の両側端面に接触するとともに受電部の可動範囲を避けて配置された補助鉄心が接続されていることを特徴とする（請求項７）。この請求項７によれば、長尺鉄心の両側端面が補助鉄心を介して無端状に連結されて環状の磁路が形成される。
また、受電部の改良形態として、上記受電部には、２次コイルの外周に渦巻状の２次コアを巻装するとともに２次コアの層間に絶縁層を介在させるようにする（請求項８）。この絶縁層を介在させる手段としては、２次コアの層間に絶縁シートを挟み入れ、あるいは２次コアの表面に絶縁処理を施すなどである。この請求項８によれば、給電部の長尺鉄心に生成された磁界と受電部の２次コイルとの電磁結合を強めることができる。また、２次コアは層間の絶縁層により渦電流の発生を抑制することができる。
【００１０】
上記の非接触給電装置は、その給電部を固定面に配設するとともに受電部を搬送車など各種の移動体に配置することにより、移動体の駆動部や制御部あるいは発信部などの負荷回路に電力を供給するものであるが、移動体の一つとして自動ドア装置のドアに適用し、そのドア側に装備した開閉動作の表示器、警報機、センサーあるいは自走式の場合の駆動部等に電力を供給することも有益である。その場合には、上記の非接触給電装置を用い、その給電部を自動ドア設置箇所の無目側にドアの開閉方向に沿って取り付け固定し、受電部をドア側上端部に支持部材を介して取り付け、それにより、給電部から受電部に供給される電力をドア側に装備した負荷回路に供給すればよい（請求項９）。
【発明の効果】
【００１１】
本発明によれば、長尺状の給電部と短筒状の受電部との組み合わせ構造により、受電部がいずれの位置へ移動した場合でも電力が供給されるばかりでなく、給電部と受電部との間の洩れ磁束が抑制されて最少となるので、従来装置に比べて給電効率を向上させることができる。
【００１２】
そして、請求項２〜６によれば、給電部の長尺鉄心に生成される磁束数を増大させて給電効率をさらに高めることができるとともに給電部と受電部の筒形状の組み合わせ構造によって装置の小型化が可能である。
また、請求項７によれば、長尺鉄心と補助鉄心により環状の磁路が形成されるので、長尺鉄心内の磁束数をさらに増大させることができ、それに加えて、請求項８によれば、給電部と受電部との電磁的結合を強めて伝達効率、すなわち給電効率をさらに向上させることができる。
【００１３】
さらに、請求項９によれば、無目側に給電部を、ドア側に受電部をそれぞれ配設することにより、複雑な配線構造を不要にしてコンパクトに非接触給電装置を配置することができるとともにドアが全閉または全開の停止中のみならず開閉動作中にもドア側へ電力を供給することができる。したがって、ドア側に表示器やセンサーなど負荷回路を装備しても安定的にそれら負荷回路を作動させることができ、さらに、ドア側に駆動部及びコントローラを装備した自動式の自動ドア装置とすることも可能となる。
【発明を実施するための最良の形態】
【００１４】
本発明の実施の形態を図面により説明すれば、図１〜図３は第１実施例を示すもので、非接触給電装置Ａは給電部１及び受電部１０により構成される。
給電部１は、コイルボビン２内に挿入された長尺鉄心３と、コイルボビン２の外周に巻装された１次コイル４とにより構成され、そのコイルボビン２を移動体の移動経路長に略等しい長さとした長尺状を呈する。
コイルボビン２は、アクリル樹脂など非磁性材からなる円筒形パイプであって、その外径を２ｃｍ程度とするが要請される出力に応じて大小増減させることも任意である。
【００１５】
長尺鉄心３は、コイルボビン２内に嵌め合う外径からなる一本のワイヤー状又は棒状でもよいが、鉄心３内に生成する磁束数を増大させるために多数の針金状コア３ａ，３ａ…を束ねた集合体とし、それら針金状コア３ａ，３ａ…を密集状にしてコイルボビン２内に挿入一体的とする。各針金状コア３ａには絶縁性の薄被膜（図示せず）を被覆又は塗布しておくことが好ましく、それにより近接する針金状コア３ａ，３ａ間に渦電流が発生することを防止するようにする。また、その薄被膜の形成に代えて、針金状コア３ａ，３ａ…の両端側からそれぞれエポキシ樹脂などの熱硬化性樹脂を充填することもよい。
なお、上記針金状コア３ａは、針金材を用いた場合を例示するが、長尺鉄心３の材料としては、それに限らず一般に使用されている各種コア材などの磁性材であればよい。
１次コイル４は、コイルボビン２の外周に一層巻きに巻装し、あるいは２層ないしそれ以上の多層巻きとすることも任意であり、この１次コイル４には入力端子に交流電源６が接続され、そこから交番電流又は高周波電流が通電されるようにする。また、１次コイル４の巻装状態はその巻き領域において必ずしも一様である必要はない。
【００１６】
また、上記給電部１は、その１次コイル４の外周に非磁性材である熱収縮性の樹脂チューブ５を被覆し、それにより、１次コイル４を保護するとともに外周の膨らみを抑制し、また外周面を平坦に仕上がるようにする。
【００１７】
受電部１０は、短筒ボビン１１とその外周に巻装された２次コイル１２とにより構成される。
短筒ボビン１１は、アクリル樹脂など前記コイルボビン２と同質の非磁性材からなる円筒形パイプであって、その長さを略５〜２０ｃｍ程度とした短筒状である。この短筒ボビン１１は、給電部１の外周面つまり樹脂チューブ５の外周面との間に所定の間隙が介在する内径とし、この短筒ボビン１１内に前記給電部１を貫通させて短筒ボビン１１を給電部１に沿って可動状に配置させる。
２次コイル１２の外周には、給電部１の１次コイル４と同様に、非磁性材である熱収縮性の樹脂チューブ１３を必要に応じ被覆して保護するようにする。
上記給電部１は壁面や床面など固定面に配設され、受電部１０は各種の移動体（図示せず）に取り付け配置されるもので、その移動体には駆動部や通信部など電力を必要とする負荷回路１６が装備され、前記２次コイル１２の出力端子を介して前記負荷回路１６が接続される。
【００１８】
而して、上記給電部１の１次コイル４に交流電源６から交番電流や高周波電流を通電すると、１次コイル４と受電部１０の２次コイル１２との間の電磁誘導作用により２次コイル１２に起電力が生起するので、それに伴い２次コイル１２に電流が発生して前記負荷回路１６に電力が供給される。
そして、上記のように、受電部１０の短筒ボビン１１を円筒状として２次コイル１２を長尺鉄心３の半径方向全周にわたり覆う構造としたので、短筒ボビン１１内においては、長尺鉄心３に略全部の磁束が集束して洩れ磁束を最少とすることができる。また、移動体の移動に伴い受電部１０が移動しても、受電部１０が常に給電部１に対向しているので、受電部１０が長尺状の給電部１のいずれの位置にあるときでも電力が供給され続ける。
上記受電部１０は、ブラケットなどの支持部材により移動体に取り付け支持するとともに移動体をガイド部材により所定の経路に沿って移動するようにし、それによって、短筒状の受電部１０内周面と長尺状の給電部１外周面との間に常に間隙が保持されるようにする。なお、給電部１と受電部１０の半径方向の相対的位置関係にズレが生じても、交叉する磁束に変化が生じないので受電部１０に発生する起電力は一定に保たれる。
【００１９】
図４は本発明の第２実施例を示す。
この第２実施例は、給電部２１のコイルボビン２２を四角形の角筒状とし、また、受電部３０の短筒ボビン３１も四角形の角筒状としたものである。詳しくは、給電部２１は、コイルボビン２２として非磁性材からなる長尺な角筒パイプを使用し、そのコイルボビン２２内に長尺鉄心２３を挿入一体的に形成するとともにコイルボビン２２の外周に１次コイル２４を巻装し、その１次コイル２４の外周に熱収縮性の樹脂チューブ２５を被覆させる。一方、受電部３０は、短筒ボビン３１として非磁性材からなる角筒パイプを使用し、その短筒ボビン３１の外周に２次コイル３２を巻装するとともに２次コイル３２の外周に熱収縮性の樹脂チューブ３３を被覆させた構造としたものである。
上記長尺鉄心２３は、第１実施例と同様に多数の針金状コア３ａを使用することもよいが、図４においては、磁性コア材からなる長尺な薄帯板２３ａの多数を積層して角柱状の集合体とし、それをコイルボビン２２内に挿入状配置した場合を例示する。
【００２０】
なお、給電部と受電部の組み合わせ形態は、第１実施例、第２実施例のように円筒形どうし、角筒形どうしとした同形の組合せとすることが好ましいが、必ずしもそれに限定されるものではなく、円筒形の給電部１に対して角筒形の受電部、あるいは角筒形の給電部２１に対して円筒形の受電部とすることも自由である。
【００２１】
図５は、受電部の改良形態である第３実施例を示す。
この第３実施例は、受電部１０の外周、詳しくは、樹脂チューブ１３の外周または樹脂チューブを省略した２次コイル１２の外周に２次コア１４を設けたものである。
２次コア１４は、渦電流を発生させないように、磁性材からなる薄帯板を渦巻状に形成するとともに内外の層間に絶縁シート１５を挟み入れた状態で樹脂チューブ１３又は２次コイル１２の外周に巻装させる。この第３実施例によれば、２次コイル１２の外周に２次コア１４が配置されることによって、長尺鉄心３に生成される磁界と２次コイル１２との電磁結合が増強される。
なお、第３実施例として図５では受電部１０の場合を例示したが、角筒状の受電部３０にも適用できることはもちろんである。
【００２２】
図６〜図８は、給電部の改良形態である第４実施例を示す。
この第４実施例は、上記給電部、例えば長尺円筒形の給電部１の両側端に継鉄として機能する補助鉄心４０を接続し、給電部１を全体として細長い環状矩形を呈する形態としたものである（図６及び図７）。
補助鉄心４０は、前記長尺鉄心３と略等長の長尺部４１の両端にＬ形に屈曲させた側杆部４２、４３とを一体に形成したもので、その長尺部４１を前記受電部１０の可動範囲を避けて給電部１と平行に配置し、側杆部４２，４３の先端側面を長尺鉄心３の各端面にそれぞれ接合一体的とする。この補助鉄心４０は、前記長尺鉄心２３と同質の磁性コア材からなり前記長尺部４１、側杆部４２、４３を備えた薄帯板４０ａの多数を積層し一体的とする。そして、長尺鉄心３と補助鉄心４０の接合面、つまり長尺鉄心３の両端面及びそれと接する側杆部４２，４３の先端側面は、磁気抵抗を抑制するために各面を平滑な仕上げ面とすることが好ましい。
【００２３】
上記の図６及び図７は給電部１に補助鉄心４０を接続した場合を示したが、この補助鉄心４０を給電部２１に付設することも可能である。
その場合には、図８に示すように、補助鉄心４０の側杆部４２，４３は、薄帯板４０ａの隔枚毎に長さを短くしたものを積層して挟入凹部４０ｂを有する櫛歯状に形成し、一方、給電部２１の長尺鉄心２３は、薄帯板２３ａの先端部に前記挟入凹部４０ｂに嵌め合う凸辺部２３ｂを有する櫛歯状に形成する。そして、前記側杆部４２，４３に形成した挟入凹部４０ｂと長尺鉄心２３の凸辺部２３ｂとの嵌め合いにより側杆部４２，４３と長尺鉄心２３とを接合して組み付ける。  なお、その場合にも側杆部４２，４３と長尺鉄心２３が接合する薄帯板４０ａ，２３ａの各接合面は平滑な仕上げ面とすることが好ましい。
この第４実施例によれば、長尺鉄心３又は長尺鉄心２３と補助鉄心４０により環状の磁路が形成され、したがって、長尺鉄心３内の磁束数をさらに増大させて給電効率を高めることができる。
【００２４】
次に、図９は上述した図１〜図３の非接触給電装置Ａを自動ドア装置Ｂに適用した実施の形態を例示する。
図９において、自動ドア装置Ｂは、出入り口の上部に構築された無目５０内に、モータＭを駆動源としてチェーンやベルトなどの伝達部材５１を回動させる駆動機構５２を配設し、ガイドレール５３上にドア５４を移動可能に吊持させるとともにドア５４の上端部を前記伝達部材５１に連結して出入り口を開閉可能とし、また、無目５０内にはコントローラ５５を配設した周知の構造である。この自動ドア装置Ｂは、ドア５４に付設したタッチセンサー５６が前記コントローラ５５に無線等で接続され、そのタッチセンサー５６からの検知信号に基づいて、コントローラ５５が駆動機構５２のモータＭを制御することによってドア５４に所定の開閉動作を行わせる。また、ドア５４には、通行人にドアの開閉を喚起させるために、ドア５４の開閉動作に連動して発光する表示体５７を前記コントローラ５５に付設した場合を例示する。
上記タッチセンサー５６及び表示体５７が、移動体であるドア５４側に配置されて電力の供給を必要とする負荷回路（負荷機器）である。
なお、図においては、自動ドア装置Ｂは片開き方式の場合を例示しているが、それに限定されるものではなく両開き（引分け）方式の自動ドア装置とすることも任意である。
【００２５】
上記自動ドア装置Ｂにおいて、無目５０内には、伝達部材５１の上部に非接触給電装置Ａの長尺状の給電部１を伝達部材１に沿って平行に配設し、ドア５４の上面には、支持脚５８を起設し、その支持脚５８に取り付けた開閉可能なバックル５９を用いて短筒状の受電部１０を外周より着脱可能に抱着する。
給電部１は、その両側端部をブラケット６０によって、無目５０内に配設した台板などの固定壁面に固定するが、受電部１０が可動するように固定壁面からは所定の間隔をおいて配設する。また、給電部１とブラケット６０との間には非導電性材料を介在させて貫通磁束による短絡電流を抑制するようにする。そして、給電部１は、ドア５４の開閉に伴って受電部１０が移動する区間より若干長い範囲に配置する。
受電部１０は、その２次コイル１２の出力端子に前記タッチセンサー５６及び表示体５７を電気的に接続し、また、バックル５９との間に非導電性材料を介在させて貫通磁束による短絡電流を抑制するようにする。
【００２６】
而して、上記自動ドア装置Ｂによれば、電源の投入により給電部１に通電されるので、その給電部１と受電部１０との間の電磁誘導作用によって受電部１０の２次コイル１２に電流が発生する。したがって、２次コイル１２に接続されたタッチセンサー５６及び表示体５７に電力が供給されるので、それらセンサー５６及び表示体５７は所定の検知動作、発光表示動作をすることができる。
そして、ドア５４が開閉動作するときに短筒状の受電部１０も給電部１に沿って移動するので、ドア５４が全閉又は全開位置で停止しているときに限らず開閉移動中にも給電部１と受電部１０が対向した状態を保持し、常時にドア５４側の負荷回路に電力が供給される。したがって、ドア側にはコンデンサ等の蓄電手段を設けることなく所要の電力が供給されるとともに給電部１及び受電部１０の前述した構造により給電効率の高い非接触給電装置Ａを具備した自動ドア装置Ｂを提供することができる。
【００２７】
なお、上記図９に基づく説明においては、図１〜図３に例示した非接触給電装置を適用した場合を説明したが、それに限定されるものではなく、図４〜図８で説明した給電部、受電部を使用することもよいことはもちろんである。特に、図６のように補助鉄心４０を接続した非接触給電装置を使用する場合には、その補助鉄心４０を、非導電性材料を介在させて固定壁面に取り付け固定することができ、補助鉄心４０の両側端部だけでなく中間部位においてもブラケットにより固定することが可能である。
また、実施の形態においては、負荷回路（負荷機器）としてタッチセンサー、発光表示体を例示したが、それに限定されるものではなく、さらに、ドア側に駆動用のモータ及びコントローラを配設してベルトなど伝達部材を不要とする自走式の自動ドア装置である場合には、そのモータやコントローラを負荷回路として給電することも任意である。さらには、店舗、ホール、レストラン、マンションに設置した装飾用ドア・ガラスの上面に蛍光灯、ＬＥＤ等の発光素子（負荷回路）を設けてガラスの内部照明に使用すれば、認知度が向上して広告、宣伝効果のみならず安全表示の一助とすることもできる。
【図面の簡単な説明】
【００２８】
【図１】本発明非接触給電装置の第１実施例を示す部分断面した正面図である。
【図２】図１における（２）−（２）線に沿う断面側面図である。
【図３】給電部及び受電部を示す部分斜視図である。
【図４】給電部及び受電部の形状を違えた第２実施例を示す断面図である。
【図５】受電部の改良形態である第３実施例を示し、（ａ）は断面正面図、（ｂ）は断面側面図である。
【図６】給電部の改良形態である第４実施例を示す正面図である。
【図７】図６における（７）−（７）線に沿う拡大断面図である。
【図８】第２実施例における給電部の長尺鉄心と第４実施例の補助鉄心との接合構造を説明する斜視図である。
【図９】第１実施例の非接触給電装置を装備した自動ドア装置の概要正面図である。
【符号の説明】
【００２９】
Ａ：非接触給電装置            １：給電部                ２：コイルボビン
３：長尺鉄心                ３ａ：針金状コア            ４：１次コイル
１０：受電部                  １１：短筒ボビン          １２：２次コイル
１４：２次コア                １５：絶縁シート
２１：給電部                  ２２：コイルボビン        ２３：長尺鉄心
２３ａ：薄帯板                ２４：１次コイル
３０：受電部                  ３１：短筒ボビン          ３２：２次コイル
４０：補助鉄心                ４０ａ：薄帯板
Ｂ：自動ドア装置              ５０：無目                ５４：ドア
５６：タッチセンサー          ５７：表示体              ５８：支持脚
５９：バックル                ６０：ブラケット
【図１】
2006303221.tif 000003
【図２】
2006303221.tif 000004
【図３】
2006303221.tif 000005
【図４】
2006303221.tif 000006
【図５】
2006303221.tif 000007
【図６】
2006303221.tif 000008
【図７】
2006303221.tif 000009
【図８】
2006303221.tif 000010
【図９】
2006303221.tif 000011